(57)【要約】      （修正有）【課題】  簡単な構造にできてコスト安になり、筐体内のＨＤＤに外部からの空気を当てることができ、ＨＤＤを効率良く冷却でき、ＨＤＤの温度上昇を抑制することができる。【解決手段】  筐体１内にＨＤＤ２が配置され、筐体の左側壁１ａに通気孔１ｂが形成され、筐体の後壁１ｃに排気ファン４が配置されており、筐体の左側壁の通気孔から外部の空気が排気ファンの駆動により筐体内に入り込んで筐体内を空気が通過し、排気ファンから筐体の外部に排気して筐体内を冷却するようにし、筐体における前壁１ｄと後壁からＨＤＤの配置場所近傍位置に至る前後の空気流動用ガイド壁５、６が設けられ、筐体の左側壁の通気孔から筐体内に入り込んだ空気は、前側の空気流動用ガイド壁と左側壁の間隙７を通り、前後の空気流動用ガイド壁の間隙８からＨＤＤに空気が当たるようにし、このＨＤＤに当たってＨＤＤを冷却した空気は排気ファンから外部に排気されるように構成した。【選択図】  図１
2007141389.tif 000002
【特許請求の範囲】
【請求項１】
筐体内にＨＤＤが配置され、前記筐体の側壁に通気孔が形成され、前記筐体の後壁に排気ファンが配置されており、前記筐体の側壁の通気孔から外部の空気が前記排気ファンの駆動により前記筐体内に入り込んで前記筐体内を前記空気が通過し、前記排気ファンから前記筐体の外部に排気して前記筐体内を冷却するようにした冷却構造において、前記筐体における前壁と前記後壁から前記ＨＤＤの配置場所近傍位置に至る前後の空気流動用ガイド壁が設けられ、前記筐体の側壁の通気孔から筐体内に入り込んだ空気は、前記筐体の側壁の通気孔から前記前側の空気流動用ガイド壁と前記側壁の間隙を通り、前記前後の空気流動用ガイド壁の間隙から前記ＨＤＤに前記空気が当たるようにし、このＨＤＤに当たってＨＤＤを冷却した空気は前記排気ファンから外部に排気されるように構成したことを特徴とする筐体内におけるＨＤＤの冷却構造。
【請求項２】
筐体内にＨＤＤが配置され、前記筐体の側壁又は前壁に通気孔が形成され、前記筐体の後壁に排気ファンが配置されており、前記筐体の側壁又は前壁の通気孔から外部の空気が前記排気ファンの駆動により前記筐体内に入り込んで前記筐体内を前記空気が通過し、前記排気ファンから外部に排気して前記筐体内を冷却するようにした冷却構造において、前記筐体内における前記ＨＤＤ近傍箇所に前記通気孔から前記空気が前記ＨＤＤに向けて流動するように空気流動用ガイド壁が設けられ、前記筐体の通気孔から筐体内に空気が入り込み、前記空気流動用ガイド壁によって前記空気が前記ＨＤＤに当たるようにし、このＨＤＤに当たってＨＤＤを冷却した空気は前記排気ファンから外部に排気されるように構成したことを特徴とする筐体内におけるＨＤＤの冷却構造。
【請求項３】
前記通気孔は前記筐体の側壁に形成され、前記空気流動用ガイド壁は前記前壁から前記ＨＤＤ近傍箇所までと前記側壁から前記ＨＤＤ近傍箇所まで設けられ、前記側壁の通気孔から筐体内に入り込んだ空気が前記各空気流動用ガイド壁にガイドされて前記ＨＤＤに当たり前記ＨＤＤを冷却した後に前記排気ファンから外部に排気されるようにした請求項２に記載の筐体内におけるＨＤＤの冷却構造。
【請求項４】
前記筐体の側壁から前記ＨＤＤ近傍箇所に設けられた空気流動用ガイド壁は、前記側壁から前記ＨＤＤの近傍箇所に向けて斜め向きに設けられている請求項３に記載の筐体内におけるＨＤＤの冷却構造。
【発明の詳細な説明】
【技術分野】
【０００１】
本発明は、、筐体内にＨＤＤが配置され、前記筐体の側壁又は前壁に通気孔が形成され、前記筐体の後壁に排気ファンが配置されており、前記筐体の側壁又は前壁の通気孔から外部の空気が前記排気ファンの駆動により前記筐体内に入り込んで前記筐体内を前記空気が通過し、前記排気ファンから外部に排気して前記筐体内を冷却するようにした冷却構造に関し、特に、筐体内に配置されたＨＤＤを冷却するようにした筐体内におけるＨＤＤの冷却構造に関するものである。
【背景技術】
【０００２】
従来、ＨＤＤが配置された筐体内の冷却構造は、側壁に形成された通気孔から後壁に設けられた排気ファンの駆動によって外部の空気を入れ込み、筐体内を通過させて筐体内を冷却し、排気ファンが外部に排気するようにしていた。ところが、この従来の冷却構造においては、発熱するＨＤＤの回りを空気が通過して空気がＨＤＤに当たる量が少ないためにＨＤＤを十分冷却することができず、ＨＤＤの温度が高くなってしまうという問題があった。
【０００３】
第１の従来技術を図４に示す。この従来の電子機器の冷却装置は、図４に示すように、発熱手段１３４を筐体内でファン１３２、１３５を介して冷却し、筐体内に排気する電子機器の冷却装置において、筐体の前面または左右側板に空気の通気孔１２６ａ、１２６ｂ、１２６ｃを設け、発熱手段１３４に放熱部材１３３を配し、通気孔１２６ａ、１２６ｂ、１２６ｃから外気を吸い込むと共に放熱部材１３３のフィン間の通路の長手方向に対して傾斜した方向に空気の通気孔からの外気を排気する様に第２のファン１３５を配し、筐体の背面板１２３に配設した排気用の第１のファン１３２により放熱部材１３３を通過する外気１４２の排気方向を変換する。（例えば、特許文献１参照）。
【０００４】
ところが、これにおいては、筐体内に吸い込まれた外気がＨＤＤ１２９に当たる量が少ないために、ＨＤＤ１２９を十分に冷却することができないという問題があった。また、この冷却装置では、ファン１３２、１３５を２つ必要とするために、コスト高になるという問題があった。
【特許文献１】特開２００５−２２２５８４号公報
【発明の開示】
【発明が解決しようとする課題】
【０００５】
本発明は、上記従来の問題に鑑みてなされたものであって、簡単な構造にできてコスト安になり、筐体内のＨＤＤに直接外部からの空気を当てることができ、ＨＤＤを効率良く冷却することができて、ＨＤＤの温度上昇を抑制することができる筐体内におけるＨＤＤの冷却構造を提供することを目的としている。
【課題を解決するための手段】
【０００６】
本発明は、上記課題を解決するために提案されたものであって、請求項１に記載の発明は、筐体内にＨＤＤが配置され、前記筐体の側壁に通気孔が形成され、前記筐体の後壁に排気ファンが配置されており、前記筐体の側壁の通気孔から外部の空気が前記排気ファンの駆動により前記筐体内に入り込んで前記筐体内を前記空気が通過し、前記排気ファンから前記筐体の外部に排気して前記筐体内を冷却するようにした冷却構造において、前記筐体における前壁と前記後壁から前記ＨＤＤの配置場所近傍位置に至る前後の空気流動用ガイド壁が設けられ、前記筐体の側壁の通気孔から筐体内に入り込んだ空気は、前記前側の空気流動用ガイド壁と前記側壁の間隙を通り、前記前後の空気流動用ガイド壁の間隙から前記ＨＤＤに前記空気が当たるようにし、このＨＤＤに当たってＨＤＤを冷却した空気は前記排気ファンから外部に排気されるように構成したことを特徴としている。
【０００７】
請求項２に記載の発明は、筐体内にＨＤＤが配置され、前記筐体の側壁又は前壁に通気孔が形成され、前記筐体の後壁に排気ファンが配置されており、前記筐体の側壁又は前壁の通気孔から外部の空気が前記排気ファンの駆動により前記筐体内に入り込んで前記筐体内を前記空気が通過し、前記排気ファンから外部に排気して前記筐体内を冷却するようにした冷却構造において、前記筐体内における前記ＨＤＤ近傍箇所に前記通気孔から前記空気が前記ＨＤＤに向けて流動するように空気流動用ガイド壁が設けられ、前記筐体の通気孔から筐体内に空気が入り込み、前記空気流動用ガイド壁によって前記空気が前記ＨＤＤに当たるようにし、このＨＤＤに当たってＨＤＤを冷却した空気は前記排気ファンから外部に排気されるように構成したことを特徴としている。
【０００８】
請求項３に記載の発明は、請求項２に記載の発明において、前記通気孔は前記筐体の側壁に形成され、前記空気流動用ガイド壁は前記前壁から前記ＨＤＤ近傍箇所までと前記側壁から前記ＨＤＤ近傍箇所まで設けられ、前記側壁の通気孔から筐体内に入り込んだ空気が前記各空気流動用ガイド壁にガイドされて前記ＨＤＤに当たり前記ＨＤＤを冷却した後に前記排気ファンから外部に排気されるようにした。
【０００９】
請求項４に記載の発明は、請求項３に記載の発明において、前記筐体の側壁から前記ＨＤＤ近傍箇所に設けられた空気流動用ガイド壁は、前記側壁から前記ＨＤＤの近傍箇所に向けて斜め向きに設けられている。
【発明の効果】
【００１０】
請求項１に記載の発明によれば、筐体の通気孔から筐体内に入り込んだ空気が、側壁と前側の空気流動用ガイド壁の間隙を通り、前後の空気流動用ガイド壁の間隙からＨＤＤに空気が当たるから、ＨＤＤを効率良く冷却して、ＨＤＤの温度上昇を抑制することができる。また、前後の空気流動用ガイド壁を設けるだけなので、簡単な構造にすることができてコスト安にすることができる。
【００１１】
請求項２に記載の発明によれば、筐体の通気孔から筐体内に入り込んだ空気が、空気流動用ガイド壁にガイドされてＨＤＤに当たるから、ＨＤＤを効率良く冷却してＨＤＤの温度上昇を抑制することができる。また、空気流動用壁を設けるだけなので、簡単な構造にすることができてコスト安にすることができる。
【００１２】
請求項３に記載の発明によれば、空気流動用ガイド壁は前壁からＨＤＤ近傍箇所までと側壁からＨＤＤ近傍箇所まで設けられているから、側壁の通気孔から入り込んだ空気は、側壁と空気流動用壁の間隙を通り、側壁からＨＤＤ近傍箇所まで設けられた空気流動用ガイド壁に当たってＨＤＤ側に流れてＨＤＤに当たるから、ＨＤＤをより一層効率良く冷却することができる。
【００１３】
請求項４に記載の発明によれば、側壁からＨＤＤの近傍箇所に向けて斜め向きに設けられた空気流動用ガイド壁によって、側壁と前側の空気流動用ガイド壁の間隙を通る空気がＨＤＤ側に向けてガイドされるから、この空気をスムーズにＨＤＤに当てることができ、ＨＤＤをより一層効率良く冷却することができる。
【発明を実施するための最良の形態】
【００１４】
以下、本発明に係る筐体内におけるＨＤＤの冷却構造の実施の形態について、図を参照しつつ説明する。
【００１５】
図１は第１実施形態の筐体内におけるＨＤＤの冷却構造を示し、（ａ）はそのトップカバーを外した状態の概略平面図、（ｂ）はそのトップカバーを外した状態の一部断面した概略正面図、（ｃ）はそのトップカバーを外した状態の一部断面した概略側面図である。
【００１６】
この第１実施形態の筐体内におけるＨＤＤの冷却構造は、図１（Ａ）（ｂ）（ｃ）に示すように、上部がトップカバー（図示略）で覆われる筐体１内にＨＤＤ２とプレーヤー３等が配置され、筐体１の左側壁１ａの前側部分に外部の空気を入れ込むための通気孔１ｂが形成され、更に、筐体１の後壁１ｃに排気ファン４が設けられている。筐体１の前壁１ｄと後壁１ｃからＨＤＤ２の右端の前後の隅部近傍位置に至る空気流動用ガイド壁５、６が設けられている。筐体１の左側壁１ａの通気孔１ｂから筐体１内にいり込んだ空気は、前側の空気流動用ガイド壁５と左側壁１ａの間隙７を通り、前後の空気流動用ガイド壁５、６の間隙８からＨＤＤ２に空気が当たり、このＨＤＤ２を冷却した空気は排気ファン４から外部に排気される。
【００１７】
この第１実施形態によれば、通気孔１ｂから入り込んだ空気が、左側壁１ａと前側の空気流動用ガイド壁５の間隙７を通り、前後の空気流動用ガイド壁５、６の間隙８からＨＤＤ２に空気が当たるから、ＨＤＤ２を効率良く冷却して、ＨＤＤ２の温度上昇を抑制することができる。また、前後の空気流動用ガイド壁５、６を設けるだけなので、簡単な構造にすることができてコスト安にすることができる。
【００１８】
図２は第２実施形態の筐体内における冷却構造を示し、トップカバーを外した状態の概略平面図である。
【００１９】
この第２実施形態の筐体内におけるＨＤＤの冷却構造は、図２に示すように、筐体１の前壁１ｄからＨＤＤ２の右端の隅部近傍位置に至る空気流動用ガイド壁５が設けられるとともに左側壁１ａからＨＤＤ２の後の隅部近傍位置まで斜め向きに空気流動用ガイド壁９が設けられている。筐体１の左側壁１ａの通気孔１ｂから筐体１内にいり込んだ空気は、前側の空気流動用ガイド壁５と左側壁１ａの間隙７を通るとともに奥側の斜め向きの空気流動用ガイド壁９にガイドされて、前後の空気流動用ガイド壁５、９の間隙８からＨＤＤ２に空気が当たり、このＨＤＤ２を冷却した空気は排気ファン４から外部に排気される。
【００２０】
この第２実施形態によれば、左側壁１ａからＨＤＤ２の近傍箇所に向けて斜め向きに設けられた空気流動用ガイド壁９によって、左側壁１ａと前側の空気流動用ガイド壁５の間隙７を通る空気がＨＤＤ２側に向けてガイドされるから、この空気をスムーズにＨＤＤ２に当てることができ、ＨＤＤ２を一層効率良く冷却することができる。
【００２１】
図３は第３実施形態の筐体内における冷却構造を示し、トップカバーを外した状態の概略平面図である。
【００２２】
この第３実施形態の筐体内におけるＨＤＤの冷却構造は、図３に示すように、筐体１の前壁１ｄからＨＤＤ２の右端の隅部近傍位置に至る空気流動用ガイド壁５が設けられるとともに左側壁１ａからＨＤＤ２の後の隅部近傍位置まで略直角方向に空気流動用ガイド壁１０が設けられている。筐体１の左側壁１ａの通気孔１ｂから筐体１内にいり込んだ空気は、前側の空気流動用ガイド壁５と左側壁１ａの間隙６を通るとともに奥側の直角方向のの空気流動用ガイド壁１０にガイドされて、前後の空気流動用ガイド壁５、１０の間隙８からＨＤＤ２に空気が当たり、このＨＤＤ２を冷却した空気は排気ファン４から外部に排気される。
【００２３】
この第３実施形態によれば、空気流動用ガイド壁５、１０は前壁１ｄからＨＤＤ近傍箇所までと左側壁１ａからＨＤＤ近傍箇所まで設けられているから、左側壁１ａの通気孔１ｂから入り込んだ空気は、左側壁１ａと空気流動用ガイド壁５の間隙を通り、左側壁１ａからＨＤＤ近傍箇所まで直角方向に設けられた空気流動用ガイド壁１０に当たってＨＤＤ２側に流れてＨＤＤ２に当たるから、ＨＤＤ２をより一層効率良く冷却することができる。
【００２４】
尚、空気流動用ガイド壁５、６、９、１０は筐体１と一体に設けてもよいことは勿論である。
【図面の簡単な説明】
【００２５】
【図１】第１実施形態の筐体内におけるＨＤＤの冷却構造を示し、（ａ）はそのトップカバーを外した状態の概略平面図、（ｂ）はそのトップカバーを外した状態の一部断面した概略正面図、（ｃ）はそのトップカバーを外した状態の一部断面した概略側面図である。
【図２】第２実施形態の筐体内における冷却構造を示し、トップカバーを外した状態の概略平面図である。
【図３】第３実施形態の筐体内における冷却構造を示し、トップカバーを外した状態の概略平面図である。
【図４】従来の電子機器の冷却装置を示す上側から見た斜視図である。
【符号の説明】
【００２６】
１      筐体
１ａ    左側壁
１ｂ    通気孔
１ｃ    後壁
１ｄ    前壁
２      ＨＤＤ
３      プレーヤー
４      排気ファン
５      空気流動用ガイド壁
６      空気流動用ガイド壁
７      間隙
８      間隙
９      空気流動用ガイド壁
１０    空気流動用ガイド壁
【図１】
2007141389.tif 000003
【図２】
2007141389.tif 000004
【図３】
2007141389.tif 000005
【図４】
2007141389.tif 000006